(57)【特許請求の範囲】
【請求項１】
球払出指令信号に基づいて所定数の球を払い出し可能な球払出装置と、該球払出装置から払い出された球を貯留する打球供給皿と、該打球供給皿に球が充満したときにその余剰球を貯留する余剰球受皿とを備えたパチンコ遊技機であって、
前記打球供給皿に空間領域部を形成し、該空間領域部内に球払出装置を設けたことを特徴とするパチンコ遊技機。
【請求項２】
前記打球供給皿は、前面枠体の前面下部に開閉自在に取り付けられる前面板と、この前面板の前面に設けられ、球払出装置から払い出された球を貯留する皿部と、この皿部の前方部を覆う装飾カバー部材とから構成されており、前記前面板と装飾カバー部材との間に空間領域部が形成されている請求項１記載のパチンコ遊技機。
【請求項３】
球払出指令信号に基づいて所定数の球を払い出し可能な球払出装置と、該球払出装置から払い出された球を貯留する打球供給皿と、該打球供給皿に球が充満したときにその余剰球を貯留する余剰球受皿を備えたパチンコ遊技機であって、
前記打球供給皿は、前面枠体の前面下部に開閉自在に取り付けられる前面板と、この前面板の前面に設けられ、球払出装置から払い出された球を貯留する皿部と、この皿部の前方部を覆う装飾カバー部材とから構成されており、前面板と装飾カバー部材との間に空間領域部を形成すると共に、前面板の裏側に球払出装置を設けたことを特徴とするパチンコ遊技機。
【請求項４】
前記空間領域部に、皿部の余剰球を余剰球受皿に誘導する導出路を設けたことを特徴とする請求項１〜３のいずれか１項に記載のパチンコ遊技機。
【請求項５】
球払出指令信号に基づいて所定数の球を払い出し可能な球払出装置と、該球払出装置から払い出された球を貯留する上皿部及び該上皿部に球が充満したときにその余剰球を貯留する下皿部とを有する球受皿とを備えたパチンコ遊技機であって、
前記球受皿に空間領域部を形成し、該空間領域部内に球払出装置を設けたことを特徴とするパチンコ遊技機。
【請求項６】
前記球受皿は、前面枠体の前面下部に開閉自在に取り付けられる前面板と、上皿部及び下皿部の前方部を覆う装飾カバー体とから構成されており、前面板と装飾カバー体との間に空間領域部が形成されている請求項５記載のパチンコ遊技機。
【請求項７】
球払出指令信号に基づいて所定数の球を払い出し可能な球払出装置と、該球払出装置から払い出された球を貯留する上皿部及び該上皿部に球が充満したときにその余剰球を貯留する下皿部とを有する球受皿とを備えたパチンコ遊技機であって、
前記球受皿は、前面枠体の前面下部に開閉自在に取り付けられる前面板と、上皿部及び下皿部の前方部を覆う装飾カバー体とから構成されており、前面板と装飾カバー体との間に空間領域部を形成すると共に、前面板の裏側に球払出装置を設けたことを特徴とするパチンコ遊技機。
【請求項８】
前記空間領域部内に、上皿部から溢れた余剰球を下皿部に誘導する導出路を設けたことを特徴とする請求項５〜７のいずれか１項に記載のパチンコ遊技機。
【請求項９】
前記球払出装置は、景品球払出指令信号に基づいて予め設定された個数の景品球を払い出す機能と、貸球払出指令信号に基づいて予め設定された個数の貸球を払い出す機能とを備えていることを特徴とする請求項１、３、５又は７記載のパチンコ遊技機。
【発明の詳細な説明】
【０００１】
【発明の属する技術分野】
本発明はパチンコ遊技機に関し、特に球払出指令信号に基づいて所定数の球を払い出し可能な球払出装置を前面枠体の前面側に設けるようにしてパチンコ遊技機の裏面構造の簡素化を図るようにしたものである。
【０００２】
【従来の技術】
従来のパチンコ遊技機は、周知のように矩形状に枠組形成された外枠と，該外枠の一側に開閉自在に取り付けられる前面枠とを有し、該前面枠の裏面に遊技盤保持枠を介して遊技盤が着脱自在に装着されている。また，前面枠の前面上部には遊技盤の遊技領域を覆うガラス板等の透明部材保持枠と、打球供給用の球受皿を有する前面板が開閉自在に設けられており、さらに前面枠の前面下部には球受皿から溢れた余剰球を貯留するための余剰球受皿や打球発射用の操作ハンドル等が設けられている。
【０００３】
一方、遊技盤の裏面には合成樹脂製の機構板が設けられており、該機構板には球タンク、球払出装置、球払出装置から払い出された球を球受皿に導く賞球排出樋、該球受皿から溢れた余剰球を余剰球受皿に導く余剰球排出樋、球抜き樋等の各種の遊技部品が設けられている。
【０００４】
ところで、最近のパチンコ遊技機においては、遊技盤上に始動入賞口、図柄変動表示装置、大入賞口等を配設し、始動入賞口に遊技球が入賞すると図柄変動表示装置の図柄を変動表示すると共に、その表示結果が所定の図柄に揃うと特別遊技状態（大当り）となって大入賞口を遊技者が有利なように種々の態様で変化させたり、大当りランプを点灯させたりして遊技の興趣を高めるものが主流となっている。そして、前記機構板のほぼ中央には、大入賞口の駆動源を突出させたりパチンコ遊技を制御する遊技制御回路基板が収納された基板ボックスを取り付けたりするための開口窓が開設されている。
【０００５】
【発明が解決しようとする課題】
このように、最近のパチンコ遊技機は、遊技内容の高度化等に伴い大入賞口がさらに大型化されたり大きな遊技制御回路基板が必要とされたりするようになってきており、このため遊技制御回路基板を収納する基板ボックスも大型化されて機構板の開口窓に取り付けることが困難であったり、球払出装置の払出動作を制御する球払出制御基板等も機構板の限られた裏面領域にしか配置することができない等、パチンコ遊技機の裏面構造は極めて複雑なものになりつつあって、その簡素化が早急に望まれていた。
【０００６】
本発明は上記のような問題点に鑑みてなされたもので、その目的とするところは、機構板に配設される各種の遊技部品のうち、特に広い設置スペースを必要とする球払出装置を球受皿に効果的に組み込むようにしてパチンコ遊技機の裏面構造の簡素化を図るようにすることにある。
【０００７】
【課題を解決するための手段】
上記した目的を達成するために、請求項１記載の発明は、球払出指令信号に基づいて所定数の球を払い出し可能な球払出装置と、該球払出装置から払い出された球を貯留する打球供給皿と、該打球供給皿に球が充満したときにその余剰球を貯留する余剰球受皿とを備えたパチンコ遊技機であって、前記打球供給皿に空間領域部を形成し、該空間領域部内に球払出装置を設けたことを特徴としている。
【０００８】
また、請求項２記載の発明は、請求項１記載のパチンコ遊技機であって、打球供給皿は、前面枠体の前面下部に開閉自在に取り付けられる前面板と、この前面板の前面に設けられ、球払出装置から払い出された球を貯留する皿部と、この皿部の前方部を覆う装飾カバー部材とから構成されており、前記前面板と装飾カバー部材との間に空間領域部が形成されていることを特徴としている。
【０００９】
さらに、請求項３記載の発明は、球払出指令信号に基づいて所定数の球を払い出し可能な球払出装置と、該球払出装置から払い出された球を貯留する打球供給皿と、該打球供給皿に球が充満したときにその余剰球を貯留する余剰球受皿を備えたパチンコ遊技機であって、前記打球供給皿は、前面枠体の前面下部に開閉自在に取り付けられる前面板と、この前面板の前面に設けられ、球払出装置から払い出された球を貯留する皿部と、この皿部の前方部を覆う装飾カバー部材とから構成されており、前面板と装飾カバー部材との間に空間領域部を形成すると共に、前面板の裏側に球払出装置を設けたことを特徴としている。
【００１０】
そして、請求項１〜３に記載の発明によれば、球払出装置を打球供給皿の空間領域部又は前面板の裏側に設けることにより、遊技盤の裏面構造の簡素化を図ることが可能となる。
【００１１】
また、請求項４記載の発明は、請求項１〜３のいずれか１項に記載のパチンコ遊技機であって、空間領域部に皿部の余剰球を余剰球受皿に誘導する導出路を設けたことを特徴としている。
【００１２】
この構成によれば、導出路を遊技盤の裏側又は遊技盤の裏側に装着される機構板に設ける必要がなくなり、より一層遊技盤の裏面構造の簡素化を図ることが可能となる。
【００１３】
また、請求項５記載の発明は、球払出指令信号に基づいて所定数の球を払い出し可能な球払出装置と、該球払出装置から払い出された球を貯留する上皿部及び該上皿部に球が充満したときにその余剰球を貯留する下皿部とを有する球受皿とを備えたパチンコ遊技機であって、前記球受皿に空間領域部を形成し、該空間領域部内に球払出装置を設けたことを特徴としている。
【００１４】
さらに、請求項６記載の発明は、請求項５記載のパチンコ遊技機であって、球受皿は、前面枠体の前面下部に開閉自在に取り付けられる前面板と、上皿部及び下皿部の前方部を覆う装飾カバー体とから構成されており、前面板と装飾カバー体との間に空間領域部が形成されていることを特徴としている。
【００１５】
また、請求項７記載の発明は、球払出指令信号に基づいて所定数の球を払い出し可能な球払出装置と、該球払出装置から払い出された球を貯留する上皿部及び該上皿部に球が充満したときにその余剰球を貯留する下皿部とを有する球受皿とを備えたパチンコ遊技機であって、前記球受皿は、前面枠体の前面下部に開閉自在に取り付けられる前面板と、上皿部及び下皿部の前方部を覆う装飾カバー体とから構成されており、前面板と装飾カバー体との間に空間領域部を形成すると共に、前面板の裏側に球払出装置を設けたことを特徴としている。
【００１６】
そして、請求項５〜７に記載の発明によれば、球払出装置を球受皿の空間領域部又は前面板の裏側に設けることにより、遊技盤の裏面構造の簡素化を図ることが可能となると共に、空間領域部を広く形成することができるため、該空間領域部内に球払出装置の払出動作を制御する球払出制御基板等を配設することが可能となる。
【００１７】
また、請求項８記載の発明は、請求項５〜７記載のパチンコ遊技機であって、前記空間領域部内に、上皿部から溢れた余剰球を下皿部に誘導する導出路を設けたことを特徴としている。
【００１８】
この構成によれば、請求項４記載の発明と同様に導出路を遊技盤の裏側又は遊技盤の裏側に装着される機構板に設ける必要がなくなり、より一層遊技盤の裏面構造の簡素化を図ることが可能となる。
【００１９】
さらに、請求項９記載の発明は、請求項１、３、５又は７記載のパチンコ遊技機であって、球払出装置は、景品球払出指令信号に基づいて予め設定された個数の景品球を払い出す機能と、貸球払出指令信号に基づいて予め設定された個数の貸球を払い出す機能とを備えていることを特徴としている。
【００２０】
この構成によれば、一つの球払出装置で景品球と貸球とを払い出すことができ、遊技盤の裏面構造の簡素化に役立てることが可能となる。
【００２１】
【発明の実施の形態】
次に、図面を参照して本発明の一実施の形態を説明する。図１はパチンコ遊技機の正面図、図２はその裏面図、図３はガラス板保持枠と打球供給皿を有する前面板及び余剰球受皿を有する前面下部板を開いた状態の斜視図である。図１において、パチンコ遊技機１は、縦長な方形状に枠組み形成される外枠２と、該外枠２の一側にヒンジ機構３、３によって開閉自在に装着される前面枠体４とを備え、該前面枠体４の前面一側にガラス板保持枠５と、打球供給皿６を有する前面板７及び余剰球受皿８を有する前面下部板９とがそれぞれ開閉自在に設けられている。また、前面下部板９には打球発射用の操作ハンドル１０が設けられている。
【００２２】
前記前面枠体４は、図３に示すように鉄板等の金属板によって形成されるもので、上部にほぼ正方形状の開口部１１が形成されており、その前面枠体４の裏面であって、開口部１１を覆うように遊技盤１２が着脱可能に取り付けられるようになっている。また、開口部１１の下方であって前面枠体４の前面には打球発射機構１３と通路構成体１４が取り外し自在に装着されている。さらに、前面枠体４の前面には、遊技盤１２の遊技領域外を覆うようにレール飾り部材１５とレール変形防止部材１６が設けられており、さらに遊技盤１２の前面であり、遊技領域の外側位置には合成樹脂により形成された盤面部品としての証紙貼付部材１７が設けられている。１８は前面枠体４及びガラス板保持枠５の施錠機構である。
【００２３】
前記遊技盤１２の表面には円状の誘導レール１９が設けられており、その誘導レール１９で囲まれる遊技領域のほぼ中央に図柄表示器２０と表示部２１を有する図柄変動表示装置２２が上下に配設されている。また、図柄変動表示装置２２の左右側方には通過始動口２３，２３が配設され、さらに中央下方に可変始動口２４と大入賞口２５が配設されている。また、遊技領域には複数の一般入賞口２６及び落下する打球の流下速度や方向を変化させるための風車２７や多数の障害釘が設けられている。
【００２４】
一方、図２に示すように遊技盤１２の裏面には可変始動口２４、大入賞口２５、一般入賞口２６に入賞した入賞球を下方に導く入賞球集合カバー２８が取り付けられている。また、遊技盤１２の裏面であり、遊技盤取付枠２９の一側には合成樹脂製の機構板３０が上下のヒンジ３１，３１を介して着脱及び開閉自在に設けられている。この機構板３０は、入賞球集合カバー２８が臨む開口窓３２を有する正面コ字形に形成されており、その開口窓３２の下方部に樋状の入賞球集合部３３が設けられている。また、機構板３０の開口窓３２の上方部には球タンク３４、該球タンク３４に貯留された球を下流側に整列しながら誘導する球誘導樋３５が設けられている。なお、開口窓３２の側方部であって、球誘導樋３５の下流側には屈曲誘導樋３６を介して後述する球払出装置３７が設けられているのが通常であるが、本発明においては開口窓３２の下方近くまで延長する垂直状の球誘導通路３８を設けている。なお、前記球誘導通路３８は、球圧を弱めるために屈曲部３８ａが設けられている。また、前記開口窓３２に臨む入賞球集合カバー２８の裏面に図柄変動表示装置２２の後方を覆う箱状カバー３９と遊技制御回路基板（主基板）が収納された主基板ボックス４０が設けられている。
【００２５】
しかして、本発明によれば、前記球払出装置３７を打球供給皿６の空間領域部４１内に設けるようにしたものである。より詳細に説明すると、前記打球供給皿６は、図４に示すように前面板７の前面に設けられ、球払出装置３７から払い出された球を貯留する皿部４２と、該皿部４２の前方部を覆う装飾カバー部材４３とから構成されている。前記皿部４２は、底部が緩やかに下り傾斜し、その傾斜下部に球が一列に整列される整流部４４が設けられている。そして、皿部４２に貯留される球は整流部４４によって一列に整列されながら前面板７の裏面に導かれて打球供給装置４５により１個ずつ発射レールの発射位置に供給されるようになっている。また、皿部４２の左右両端に装飾カバー部材４３の取付部としての取着突起４６，４６が突設されており、右側部分の前面に整流部４４に設けられたシャッター板（図示せず）を開閉する球抜き機構４７が設けられている。前記装飾カバー部材４３は、皿部４２の外周に沿って前方を覆うように取り付けられるものであって、図５に示すように該装飾カバー部材４３と前面板７との間に空間領域部４１が形成されるように膨出形状とされており、その空間領域部４１内に球払出装置３７を設けている。
【００２６】
前記球払出装置３７は、球払出指令信号に基づいて所定数の球を払い出すもので図６及び図７に示すように箱状のケース体４８を備える。このケース体４８は、前面板７の前面にビス４９，４９により固着されるもので前部材４８ａと後部材４８ｂとに二分割して形成されており、その中央に仕切板５０を介して合体させることにより一体化される。前記前部材４８ａと後部材４８ｂのそれぞれ内部には、上面で開口する供給通路５１，５１と半円状の回転体収納部５２，５２と下面で開口する排出通路５３，５３がそれぞれ形成されている。また、後部材４８ｂの後面には駆動モータ５４が取り付けられており、そのモータ軸５５は回転体収納部５２，５２を貫通して前部材４８ａの軸受に軸支されている。そして、モータ軸５５にはそれぞれの回転体収納部５２，５２に位置するように２個の回転体５６，５６が固着されている。
【００２７】
前記回転体５６，５６は、モータ軸５５を中心として左右対称な二枚の羽根５６ａ，５６ｂを備えており、供給通路５１，５１の先頭に位置する球を各羽根５６ａ，５６ｂの円弧状窪部５６ｃと回転体収納部５２，５２の円弧状内周面５２ａとで抱持しつつ排出通路５３に排出するように構成されている。なお、前記各羽根５６ａ，５６ｂの先端部は、供給通路５１の先頭の球が円弧状窪部５６ｃに受けられたとき、その球と次の供給通路５１の先頭に位置する球の間に臨むように設定されている。また、二個の回転体５６，５６は、互いに９０度位置を違えてモータ軸５５に固着されており、これによって駆動モータ５４の回転に伴い供給通路５１，５１に連続して供給される球を一個ずつ交互に払い出し可能なように構成されている。
【００２８】
一方、前記機構板３０に設けられた球誘導通路３８の流下端には蛇腹状の連結パイプ５７の一端が接続されており、図３に示すようにその連結パイプ５７の他端が前面板７に開設された透孔５８から前面側に引き出されて球払出装置３７の供給通路５１，５１に接続されている。また、前記打球供給皿６であって、空間領域部４１を構成する装飾カバー部材４３の内側には球払出装置３７の下方に位置するように導出路５９が設けられている。この導出路５９は、球払出装置３７の排出通路５３から払い出される球を打球供給皿６の皿部４２まで案内する誘導部６０と、該皿部４２に球が充満したときに余剰球を余剰球受皿８へ分流させる分流通路６１とから構成されており、皿部４２の上流側の側壁には誘導部６０によって案内される球を受け入れる通孔６２が開設されている。なお、余剰球受皿８には分流通路６１の下端と連通する連通路６３が設けられている。
【００２９】
このように構成された第１実施の形態に係るパチンコ遊技機１は、球タンク３４に貯留された球が球誘導樋３５、屈曲誘導樋３６、球誘導通路３８及び蛇腹状の連結パイプ５７を介して球払出装置３７の供給通路５１，５１に連続して供給される。一方、可変始動口２４、大入賞口２５、一般入賞口２６に入賞した入賞球はそれぞれ図示しない入賞球検出器で検出された後、遊技盤の裏面の入賞球集合部３３に集められて機外に排出される。そして、入賞球検出器による景品球払出指令信号に基づいて球払出装置３７の駆動モータ５４が駆動し、その駆動モータ５４の回転に伴い供給通路５１，５１に連続して供給される球が排出通路５３、５３から導出路５９に払い出される。このように球払出装置３７から導出路５９に払い出された球は皿部４２の通孔６２に導かれて該皿部４２に貯留されることになり、さらに皿部４２が満杯となったとき、その余剰の球が分流通路６１に流出して連通路６３から余剰球受皿８に導かれることになる。なお、発射レールの発射位置から発射された打球がファール球となったとき、そのファール球は通路構成体１４に受けられてファール球誘導通路６４により余剰球受皿８に導かれる。また、皿部４２から球抜きした球は前面板７に開設された開口６５から球抜き誘導通路６６に導かれ、さらにファール球誘導通路６４に合流して余剰球受皿８に導かれるようになっている。
【００３０】
このように、第１実施の形態に係るパチンコ遊技機１は、球払出装置３７を打球供給皿６の空間領域部４１内に設けるようにしたものであるから、従来のパチンコ遊技機のように機構板３０に開設された開口窓３２の側方部分に球払出装置３７を設ける必要がなくなり、遊技盤１２の裏面構造の簡素化を図ることができると共に、機構板３０の開口窓３２を大きくすることができることから大入賞口２５や遊技制御回路基板を収納する基板ボックス４０が大型化されても容易に開口窓３２部分に取り付けることができるようになる。なお、前記球誘導通路３８は合成樹脂製の樋部材であってもよいが、コスト面及び耐久性の面で蛇腹状パイプであってもよい。
【００３１】
図８及び図９に示す第２実施の形態は、球払出装置３７を打球供給皿６であって、その前面板７の裏側に設けるようにしたものである。この第２実施の形態の場合、球払出装置３７の排出通路５３、５３に誘導樋６７を接続し、前面板７に開設した透孔６８に誘導樋６７の出口を臨ませて球払出装置３７から排出される球を空間領域部４１の導出路５９に導くようになっている。その他の構成は第１実施の形態と同じである。
【００３２】
次に、図１０ないし図１３を参照して第３実施の形態に係るパチンコ遊技機１Ａについて説明する。この第３実施の形態に係るパチンコ遊技機１Ａが第１実施の形態のパチンコ遊技機１と異なるところは、主として球受皿の構造であるため、図１０乃至図１３において第１実施の形態と同じ構造部分には同一符号を付して示している。これについて説明すると、第３実施の形態の球受皿６９は、図１２に示すように前面枠体４の前面下部に開閉自在に取り付けられる前面板７０と、球払出装置３７から払い出された球を貯留する上皿部７１と、該上皿部７１から溢れた余剰球を貯留する下皿部７２と、前記上皿部７１及び下皿部７２の前方部を覆う装飾カバー体７３とから構成されている。そして、装飾カバー体７３の左側部分を膨出形状として前面板７０と装飾カバー体７３との間に空間領域部４１を形成し、その空間領域部４１内に球払出装置３７を設けている。また、下皿部７２の上流側の側壁には上皿部７１と同じように通孔７４が開設されており、該通孔７４に導出路５９の分流通路６１の下流端が臨まされている。このため、上皿部７１が満杯となったとき、その余剰の球が分流通路６１に流出して下皿部７２に導かれることになる。
【００３３】
このように構成された第３実施の形態に係るパチンコ遊技機１Ａの場合、第１実施の形態のパチンコ遊技機１と同じように遊技盤１２の裏面構造の簡素化を図ることができると共に、空間領域部４１を広く形成することができるため、例えば空間領域部４１内に遊技制御回路基板（主基板）や球払出装置３７の払出動作を制御する球払出制御基板等を配設することが可能となる。
【００３４】
図１４及び図１５に示す第４実施の形態は、球払出装置３７を球受皿６９であって、その前面板７０の裏側に設けるようにしたものである。この第４実施の形態の場合、第２実施の形態と同じように球払出装置３７の排出通路５３、５３に誘導樋７５を接続し、前面板７０に開設した透孔７６に誘導樋７５の出口を臨ませて球払出装置３７から排出される球を空間領域部４１の導出路５９に導くようになっている。その他の構成は第３実施の形態と同じである。
【００３５】
【発明の効果】
本発明は、以上説明したところから明らかなように、従来パチンコ遊技機の裏面側に設けられていた球払出装置を前面枠体の前面に設けられる球受皿の空間領域部内或いはその近傍に設けることにより、遊技盤の裏面構造を著しく簡素化することができる。そして、遊技盤の裏面構造の簡素化により従来制約を受けていた遊技盤の役物領域を拡大することができると共に、大入賞口や遊技制御回路基板を収納する基板ボックスが大型化されても容易に対処することができる。
【図面の簡単な説明】
【図１】第１実施の形態に係るパチンコ遊技機の正面図である。
【図２】図１のパチンコ遊技機の裏面図である。
【図３】図１のパチンコ遊技機のガラス板保持枠と前面板及び前面下部板を開いた状態の斜視図である。
【図４】打球供給皿の分解斜視図である。
【図５】打球供給皿の要部断面図である。
【図６】球払出装置の斜視図である。
【図７】図６の側面断面図である。
【図８】第２実施の形態に係るパチンコ遊技機のガラス板保持枠と前面板及び前面下部板を開いた状態の斜視図である。
【図９】図８の打球供給皿の要部断面図である。
【図１０】第３実施の形態に係るパチンコ遊技機の正面図である。
【図１１】図１０のパチンコ遊技機のガラス板保持枠と球受皿を開いた状態の斜視図である。
【図１２】図１１の球受皿の分解斜視図である。
【図１３】図１２の球受皿の要部断面図である。
【図１４】第４実施の形態に係るパチンコ遊技機のガラス板保持枠と前面板及び前面下部板を開いた状態の斜視図である。
【図１５】図１４の球受皿の要部断面図である。
【符号の説明】
１，１Ａ      パチンコ遊技機
４            前面枠体
６            打球供給皿
７            前面板
８            余剰球受け皿
３７          球払出装置
４１          空間領域部
４２          皿部
４３          装飾カバー部材
５９          導出路
６９          球受皿
７１          上皿部
７２          下皿部
７３          装飾カバー体
【図１】
0003851503.tif 000002
【図２】
0003851503.tif 000003
【図３】
0003851503.tif 000004
【図４】
0003851503.tif 000005
【図５】
0003851503.tif 000006
【図６】
0003851503.tif 000007
【図７】
0003851503.tif 000008
【図８】
0003851503.tif 000009
【図９】
0003851503.tif 000010
【図１０】
0003851503.tif 000011
【図１１】
0003851503.tif 000012
【図１２】
0003851503.tif 000013
【図１３】
0003851503.tif 000014
【図１４】
0003851503.tif 000015
【図１５】
0003851503.tif 000016